(57)【要約】【課題】版胴の版面を容易に洗浄することができる銀行券用オフセット印刷機の洗浄方法及びこれを使用する銀行券用オフセット印刷機を提供する。【解決手段】圧胴１２１に保持されて搬送されるシート１の枚数をカウントするカウンタ１６１と、カウンタ１６１からの情報に基づいて、印刷ユニット１２０Ａ〜１２０Ｈのブランケット胴１２２を圧胴１２１から離反させると共に版胴１２３に対接させる位置でブランケット胴１２２に洗浄装置１３０Ａ〜１３０Ｈを当接させてブランケット胴１２２を介して版胴１２３を洗浄液で洗浄するように、回動装置１６２及び揺動装置１６３並びに回転装置１６４と電磁弁１３８，１３９と送給ポンプ１４２，１４５とを作動制御する制御装置１６０とを備えた銀行券用オフセット印刷機１００とした。【選択図】図６
2014200994.tif 000002
【特許請求の範囲】
【請求項１】
版胴とブランケット胴とを対接させて当該ブランケット胴を洗浄液で洗浄することにより、当該版胴の洗浄を行う
ことを特徴とする銀行券用オフセット印刷機の洗浄方法。
【請求項２】
請求項１に記載の銀行券用オフセット印刷機の洗浄方法において、
前記版胴と前記ブランケット胴とを離反させて当該ブランケット胴を洗浄液で洗浄することにより、当該ブランケット胴の洗浄を行う
ことを特徴とする銀行券用オフセット印刷機の洗浄方法。
【請求項３】
請求項２に記載の銀行券用オフセット印刷機の洗浄方法において、
前記版胴に装着されている凸版の版面が水溶性樹脂からなり、
前記版胴の洗浄を行う洗浄液が、水を含まない第一の洗浄液である
ことを特徴とする銀行券用オフセット印刷機の洗浄方法。
【請求項４】
請求項３に記載の銀行券用オフセット印刷機の洗浄方法において、
前記ブランケット胴の洗浄を行う洗浄液が、水を含む第二の洗浄液である
ことを特徴とする銀行券用オフセット印刷機の洗浄方法。
【請求項５】
シートを保持して搬送する圧胴と、
凸版を装着された版胴と、
前記圧胴及び前記版胴に対して対接離反移動可能に配設されたブランケット胴と、
前記版胴及び前記圧胴に対して前記ブランケット胴を対接離反移動させるブランケット胴移動手段と、
前記ブランケット胴に対して当接離反移動可能に配設されて洗浄液による洗浄を行う洗浄手段と、
前記ブランケット胴に対して前記洗浄手段を当接離反移動させる洗浄手段移動手段と
を備えている銀行券用オフセット印刷機において、
前記圧胴に保持されて搬送されるシートの枚数をカウントするシート数カウント手段と、
前記シート数カウント手段からの情報に基づいて、前記ブランケット胴を前記圧胴から離反させると共に前記版胴に対接させる位置で当該ブランケット胴に前記洗浄手段を当接させて当該ブランケット胴を介して当該版胴を洗浄液で洗浄するように、前記ブランケット胴移動手段及び前記洗浄手段移動手段並びに前記洗浄手段を作動制御する制御手段と
を備えていることを特徴とする銀行券用オフセット印刷機。
【請求項６】
請求項５に記載の銀行券用オフセット印刷機において、
前記制御手段が、前記ブランケット胴を前記圧胴及び前記版胴から離反させる位置で当該ブランケット胴に前記洗浄手段を当接させて当該ブランケット胴のみを洗浄液で洗浄するように、前記ブランケット胴移動手段及び前記洗浄手段移動手段並びに前記洗浄手段を作動制御するものである
ことを特徴とする銀行券用オフセット印刷機。
【請求項７】
請求項６に記載の銀行券用オフセット印刷機において、
前記版胴の前記凸版の版面が水溶性樹脂からなり、
前記版胴の洗浄を行う洗浄液が、水を含まない第一の洗浄液であり、
前記洗浄手段が、
前記ブランケット胴に当接可能に配設されて走行移動可能な洗浄布と、
前記ブランケット胴に前記第一の洗浄液を付着させる第一の洗浄液付着手段と
を備え、
前記制御手段が、前記ブランケット胴を介して前記版胴を洗浄するときに、当該ブランケット胴に前記第一の洗浄液を付着させるように前記第一の洗浄液付着手段を作動制御するものである
ことを特徴とする銀行券用オフセット印刷機。
【請求項８】
請求項７に記載の銀行券用オフセット印刷機において、
前記ブランケット胴の洗浄を行う洗浄液が、水を含む第二の洗浄液であり、
前記洗浄手段が、前記ブランケット胴に前記第二の洗浄液を付着させる第二の洗浄液付着手段を備え、
前記制御手段が、前記ブランケット胴のみを洗浄するときに、当該ブランケット胴に前記第二の洗浄液を付着させるように前記第二の洗浄液付着手段を作動制御するものである
ことを特徴とする銀行券用オフセット印刷機。
【発明の詳細な説明】
【技術分野】
【０００１】
本発明は、銀行券用オフセット印刷機の洗浄方法及びこれを使用する銀行券用オフセット印刷機に関する。
【背景技術】
【０００２】
銀行券用オフセット印刷機は、絵柄等を形成された樹脂製の凸版が版胴の外周面に装着され、当該版胴にインキ供給装置からインキが供給されることにより、当該版胴に対接するブランケット胴に対して、上記版胴の上記凸版の絵柄に対応したインキを転写して、当該ブランケット胴に対接する圧胴に保持されたシートに対して、当該ブランケット胴に転写された上記インキを転写することで、当該シートに上記絵柄を印刷することができるようになっている。
【先行技術文献】
【特許文献】
【０００３】
【特許文献１】実開平７−００２０５８号公報
【特許文献２】実開平６−０３２０３０号公報
【発明の概要】
【発明が解決しようとする課題】
【０００４】
前述したような銀行券用オフセット印刷機においては、シートに対して上記絵柄を次々に印刷していくと、前記版胴の前記凸版の版面（凸部）上にインキが徐々に堆積して、シートに印刷される絵柄の輪郭がぼやけるようになってしまうことから、作業者が、印刷されたシートの絵柄を目視確認して、当該絵柄に不具合を生じ始めていると判断すると、印刷運転を一旦停止して、前記版胴の前記前記凸版の版面をウエス等により手作業で拭き取り洗浄した後、印刷運転を再開するようにしているため、版胴の版面の洗浄に労力を要してしまい、作業者に負担を強いてしまっていた。
【０００５】
このようなことから、本発明は、版胴の版面を容易に洗浄することができる銀行券用オフセット印刷機の洗浄方法及びこれを使用する銀行券用オフセット印刷機を提供することを目的とする。
【課題を解決するための手段】
【０００６】
前述した課題を解決するための、本発明に係る銀行券用オフセット印刷機の洗浄方法は、版胴とブランケット胴とを対接させて当該ブランケット胴を洗浄液で洗浄することにより、当該版胴の洗浄を行うことを特徴とする。
【０００７】
また、本発明に係る銀行券用オフセット印刷機の洗浄方法は、上述した銀行券用オフセット印刷機の洗浄方法において、前記版胴と前記ブランケット胴とを離反させて当該ブランケット胴を洗浄液で洗浄することにより、当該ブランケット胴の洗浄を行うことを特徴とする。
【０００８】
また、本発明に係る銀行券用オフセット印刷機の洗浄方法は、上述した銀行券用オフセット印刷機の洗浄方法において、前記版胴に装着されている凸版の版面が水溶性樹脂からなり、前記版胴の洗浄を行う洗浄液が、水を含まない第一の洗浄液であることを特徴とする。
【０００９】
また、本発明に係る銀行券用オフセット印刷機の洗浄方法は、上述した銀行券用オフセット印刷機の洗浄方法において、前記ブランケット胴の洗浄を行う洗浄液が、水を含む第二の洗浄液であることを特徴とする。
【００１０】
他方、前述した課題を解決するための、本発明に係る銀行券用オフセット印刷機は、シートを保持して搬送する圧胴と、凸版を装着された版胴と、前記圧胴及び前記版胴に対して対接離反移動可能に配設されたブランケット胴と、前記版胴及び前記圧胴に対して前記ブランケット胴を対接離反移動させるブランケット胴移動手段と、前記ブランケット胴に対して当接離反移動可能に配設されて洗浄液による洗浄を行う洗浄手段と、前記ブランケット胴に対して前記洗浄手段を当接離反移動させる洗浄手段移動手段とを備えている銀行券用オフセット印刷機において、前記圧胴に保持されて搬送されるシートの枚数をカウントするシート数カウント手段と、前記シート数カウント手段からの情報に基づいて、前記ブランケット胴を前記圧胴から離反させると共に前記版胴に対接させる位置で当該ブランケット胴に前記洗浄手段を当接させて当該ブランケット胴を介して当該版胴を洗浄液で洗浄するように、前記ブランケット胴移動手段及び前記洗浄手段移動手段並びに前記洗浄手段を作動制御する制御手段とを備えていることを特徴とする。
【００１１】
また、本発明に係る銀行券用オフセット印刷機は、上述した銀行券用オフセット印刷機において、前記制御手段が、前記ブランケット胴を前記圧胴及び前記版胴から離反させる位置で当該ブランケット胴に前記洗浄手段を当接させて当該ブランケット胴のみを洗浄液で洗浄するように、前記ブランケット胴移動手段及び前記洗浄手段移動手段並びに前記洗浄手段を作動制御するものであることを特徴とする。
【００１２】
また、本発明に係る銀行券用オフセット印刷機は、上述した銀行券用オフセット印刷機において、前記版胴の前記凸版の版面が水溶性樹脂からなり、前記版胴の洗浄を行う洗浄液が、水を含まない第一の洗浄液であり、前記洗浄手段が、前記ブランケット胴に当接可能に配設されて走行移動可能な洗浄布と、前記ブランケット胴に前記第一の洗浄液を付着させる第一の洗浄液付着手段とを備え、前記制御手段が、前記ブランケット胴を介して前記版胴を洗浄するときに、当該ブランケット胴に前記第一の洗浄液を付着させるように前記第一の洗浄液付着手段を作動制御するものであることを特徴とする。
【００１３】
また、本発明に係る銀行券用オフセット印刷機は、上述した銀行券用オフセット印刷機において、前記ブランケット胴の洗浄を行う洗浄液が、水を含む第二の洗浄液であり、前記洗浄手段が、前記ブランケット胴に前記第二の洗浄液を付着させる第二の洗浄液付着手段を備え、前記制御手段が、前記ブランケット胴のみを洗浄するときに、当該ブランケット胴に前記第二の洗浄液を付着させるように前記第二の洗浄液付着手段を作動制御するものであることを特徴とする。
【発明の効果】
【００１４】
本発明に係る銀行券用オフセット印刷機の洗浄方法及びこれを使用する銀行券用オフセット印刷機によれば、ウエス等により作業者が版胴を手作業で拭き取り洗浄しなくても済ますことができ、版胴の版面を容易に洗浄することができるので、作業者の負担を大きく軽減することができる。
【図面の簡単な説明】
【００１５】
【図１】本発明に係る銀行券用オフセット印刷機の主な実施形態の概略構成図である。
【図２】図１の洗浄装置の概略構成図である。
【図３】図１の洗浄装置の給液機構の概略構成図である。
【図４】図１の銀行券用オフセット印刷機の要部の制御ブロック図である。
【図５】図１の銀行券用オフセット印刷機の印刷運転時の各胴及び洗浄装置の位置状態説明図である。
【図６】図１の銀行券用オフセット印刷機の版胴洗浄時の各胴及び洗浄装置の位置状態説明図である。
【図７】図１の銀行券用オフセット印刷機のブランケット胴のみの洗浄時の各胴及び洗浄装置の位置状態説明図である。
【発明を実施するための形態】
【００１６】
本発明に係る銀行券用オフセット印刷機の版胴の洗浄方法及びこれを使用する銀行券用オフセット印刷機の実施形態を図面に基づいて説明するが、本発明は、図面に基づいて説明する以下の実施形態のみに限定されるものではない。
【００１７】
〈主な実施形態〉
本発明に係る銀行券用オフセット印刷機の版胴の洗浄方法及びこれを使用する銀行券用オフセット印刷機の主な実施形態を図１〜７に基づいて説明する。
【００１８】
図１に示すように、シート１を一枚ずつ供給するシート供給手段である給紙装置１１０には、シート１を積載する給紙台１１１が設けられている。前記給紙装置１１０の内部の上方には、前記給紙台１１１上の前記シート１を送り出す送出装置１１４（図４参照）が設けられている。
【００１９】
前記給紙装置１１０の上方側には、前記給紙台１１１上から送り出された前記シート１を案内するフィーダボード１１２の基端側が連絡している。前記フィーダボード１１２の先端側には、渡胴１０１が配設されている。前記フィーダボード１１２と前記渡胴１０１との間には、当該フィーダボード１１２上の前記シート１を当該渡胴１０１に一枚ずつ受け渡すスイング装置１１３が配設されている。
【００２０】
前記渡胴１０１には、当該渡胴１０１からのシート１を保持して搬送する上部第一印刷ユニット１２０Ａの圧胴１２１が対接している。前記圧胴１２１には、ゴム製のブランケットを外周面に装着されたブランケット胴（ゴム胴）１２２が対接している。前記ブランケット胴１２２には、絵柄等を形成された樹脂製の凸版を外周面に装着された版胴１２３が対接しており、当該凸版は、その表面（版面）が水溶性樹脂からなっている。
【００２１】
前記上部第一印刷ユニット１２０Ａには、前記版胴１２３にインキを供給するインキ供給装置１２４（図４参照）が設けられており、当該インキ供給装置１２４は、上記版胴１２３に上記インキを供給する供給状態と、上記版胴１２３への上記インキの供給を中断する中断状態とにそれぞれ切り換えることができるようになっている。
【００２２】
前記ブランケット胴１２２は、図示しない偏心軸受を介して支持されており、当該偏心軸受が回動することにより、前記圧胴１２１及び前記版胴１２３に対接する位置（胴入れ位置／図５参照）と、前記圧胴１２１から離反して前記版胴１２３のみに対接する位置（半胴入れ位置（半胴抜き位置）／図６参照）と、前記圧胴１２１及び前記版胴１２３から離反する位置（胴抜き位置／図７参照）とにそれぞれ位置することができるように移動可能となっている。
【００２３】
前記ブランケット胴１２２の近傍には、当該ブランケット胴１２２の外周面に対して当接離反移動可能な洗浄手段である上部第一洗浄装置１３０Ａが設けられており、当該上部第一洗浄装置１３０Ａは、図２に示すような構造となっている。
【００２４】
図２に示すように、フレーム１３１には、帯状の洗浄布２を巻き付けた供給ロール１３２と、前記供給ロール１３２から繰り出された前記洗浄布２を巻き取る巻取ロール１３３とがそれぞれ回転可能に支持されている。前記フレーム１３１の先端側（前記ブランケット胴１２２側）には、支持部材１３４が取り付けられている。
【００２５】
前記支持部材１３４の先端側（前記ブランケット胴１２２側）の、前記ブランケット胴１２２の回転方向上流側寄り及び下流側寄りには、前記洗浄布２を案内する対をなす案内部材１３４ａ，１３４ｂがそれぞれ設けられており、上記洗浄布２は、前記供給ロール１３２から前記支持部材１３４及び前記案内部材１３４ａ，１３４ｂの先端側（前記ブランケット胴１２２側）を経由して前記巻取ロール１３３に巻き取られるように、その走行移動経路が設定されている。
【００２６】
前記フレーム１３１は、揺動ピン１３５を介して揺動可能に支持されており、前記偏心軸受による前記ブランケット胴１２２の移動（胴入れ、半胴入れ、胴抜き）に追従して移動することができると共に、上記揺動ピン１３５を中心にして揺動することにより、前記ブランケット胴１２２の外周面（ブランケット）に対して、前記案内部材１３４ａ，１３４ｂ間に位置する前記洗浄布２を当接させる当接位置と離反させる離反位置とにそれぞれ位置することができるように当接離反移動可能となっている。
【００２７】
また、図３に示すように、印刷機の外側の近傍には、洗浄用の水３を貯留する水タンク１４１と、洗浄用のアルコール等の溶剤４を貯留する溶剤タンク１４４とが配設されている。前記水タンク１４１の下方は、送給ポンプ１４２の受入口に接続している。前記送給ポンプ１４２の送出口は、当該送給ポンプ１４２からの前記水３を送出する送出口を複数系統（本実施形態では８系統）有する分流器１４３の受入口に接続している。前記分流器１４３の各送出口は、各系統ごとに設けられた電磁弁１３８を介して合流器１３７の受入口にそれぞれ接続している。
【００２８】
前記溶剤タンク１４４の下方は、送給ポンプ１４５の受入口に接続している。前記送給ポンプ１４５の送出口は、当該送給ポンプ１４５からの前記溶剤４を送出する送出口を複数系統（本実施形態では８系統）有する分流器１４６の受入口に接続している。前記分流器１４６の各送出口は、各系統ごとに設けられた電磁弁１３９を介して前記合流器１３７の受入口にそれぞれ接続している。
【００２９】
前記合流器１３７の送出口は、噴射口１３６ａを複数形成された噴射ノズル１３６に接続しており、当該噴射ノズル１３６は、図２，３に示すように、前記洗浄装置１３０の前記案内部材１３４ａ，１３４ｂの間の前記ブランケット胴１２２の回転方向上流側に位置して前記洗浄布２へ前記噴射口１３６ａを向けるように配向されている。
【００３０】
図１に示すように、前記上部第一印刷ユニット１２０Ａの前記圧胴１２１の前記ブランケット胴１２２との対接位置よりも回転方向下流側には、下部第一印刷ユニット１２０Ｂの圧胴１２１が対接しており、当該下部第一印刷ユニット１２０Ｂは、前記上部第一印刷ユニット１２０Ａと同様な、ブランケット胴（ゴム胴）１２２、版胴１２３、インキ供給装置１２４を備えると共に、前記上部第一洗浄装置１３０Ａと同様な、フレーム１３１、供給ロール１３２、巻取ロール１３３、支持部材１３４、案内部材１３４ａ，１３４ｂ、揺動ピン１３５、噴射ノズル１３６、合流器１３７、電磁弁１３８，１３９等を有する洗浄手段である下部第一洗浄装置１３０Ｂを備えている。
【００３１】
また、前記下部第一印刷ユニット１２０Ｂの前記圧胴１２１の前記ブランケット胴１２２との対接位置よりも回転方向下流側には、上部第二印刷ユニット１２０Ｃの圧胴１２１が対接しており、当該上部第二印刷ユニット１２０Ｃは、前記上部第一印刷ユニット１２０Ａと同様にして、ブランケット胴（ゴム胴）１２２、版胴１２３、インキ供給装置１２４を備えると共に、前記上部第一洗浄装置１３０Ａと同様にして、フレーム１３１、供給ロール１３２、巻取ロール１３３、支持部材１３４、案内部材１３４ａ，１３４ｂ、揺動ピン１３５、噴射ノズル１３６、合流器１３７、電磁弁１３８，１３９等を有する洗浄手段である上部第二洗浄装置１３０Ｃを備えている。
【００３２】
前記上部第二印刷ユニット１２０Ｃの前記圧胴１２１の前記ブランケット胴１２２との対接位置よりも回転方向下流側には、下部第二印刷ユニット１２０Ｄの圧胴１２１が対接しており、当該下部第二印刷ユニット１２０Ｄは、前記下部第一印刷ユニット１２０Ｂと同様にして、ブランケット胴（ゴム胴）１２２、版胴１２３、インキ供給装置１２４を備えると共に、前記下部第一洗浄装置１３０Ｂと同様にして、フレーム１３１、供給ロール１３２、巻取ロール１３３、支持部材１３４、案内部材１３４ａ，１３４ｂ、揺動ピン１３５、噴射ノズル１３６、合流器１３７、電磁弁１３８，１３９等を有する洗浄手段である下部第二洗浄装置１３０Ｄを備えている。
【００３３】
前記下部第二印刷ユニット１２０Ｄの前記圧胴１２１の前記ブランケット胴１２２との対接位置よりも回転方向下流側には、上部第三印刷ユニット１２０Ｅの圧胴１２１が対接しており、当該上部第三印刷ユニット１２０Ｅは、前記上部第一印刷ユニット１２０Ａと同様にして、ブランケット胴（ゴム胴）１２２、版胴１２３、インキ供給装置１２４を備えると共に、前記上部第一洗浄装置１３０Ａと同様にして、フレーム１３１、供給ロール１３２、巻取ロール１３３、支持部材１３４、案内部材１３４ａ，１３４ｂ、揺動ピン１３５、噴射ノズル１３６、合流器１３７、電磁弁１３８，１３９等を有する洗浄手段である上部第三洗浄装置１３０Ｅを備えている。
【００３４】
前記上部第三印刷ユニット１２０Ｅの前記圧胴１２１の前記ブランケット胴１２２との対接位置よりも回転方向下流側には、下部第三印刷ユニット１２０Ｆの圧胴１２１が対接しており、当該下部第三印刷ユニット１２０Ｆは、前記下部第一印刷ユニット１２０Ｂと同様にして、ブランケット胴（ゴム胴）１２２、版胴１２３、インキ供給装置１２４を備えると共に、前記下部第一洗浄装置１３０Ｂと同様にして、フレーム１３１、供給ロール１３２、巻取ロール１３３、支持部材１３４、案内部材１３４ａ，１３４ｂ、揺動ピン１３５、噴射ノズル１３６、合流器１３７、電磁弁１３８，１３９等を有する洗浄手段である下部第三洗浄装置１３０Ｆを備えている。
【００３５】
前記下部第三印刷ユニット１２０Ｆの前記圧胴１２１の前記ブランケット胴１２２との対接位置よりも回転方向下流側には、上部第四印刷ユニット１２０Ｇの圧胴１２１が対接しており、当該上部第四印刷ユニット１２０Ｇは、前記上部第一印刷ユニット１２０Ａと同様にして、ブランケット胴（ゴム胴）１２２、版胴１２３、インキ供給装置１２４を備えると共に、前記上部第一洗浄装置１３０Ａと同様にして、フレーム１３１、供給ロール１３２、巻取ロール１３３、支持部材１３４、案内部材１３４ａ，１３４ｂ、揺動ピン１３５、噴射ノズル１３６、合流器１３７、電磁弁１３８，１３９等を有する洗浄手段である上部第四洗浄装置１３０Ｇを備えている。
【００３６】
前記上部第四印刷ユニット１２０Ｇの前記圧胴１２１の前記ブランケット胴１２２との対接位置よりも回転方向下流側には、下部第四印刷ユニット１２０Ｈの圧胴１２１が対接しており、当該下部第四印刷ユニット１２０Ｈは、前記下部第一印刷ユニット１２０Ｂと同様にして、ブランケット胴（ゴム胴）１２２、版胴１２３、インキ供給装置１２４を備えると共に、前記下部第一洗浄装置１３０Ｂと同様にして、フレーム１３１、供給ロール１３２、巻取ロール１３３、支持部材１３４、案内部材１３４ａ，１３４ｂ、揺動ピン１３５、噴射ノズル１３６、合流器１３７、電磁弁１３８，１３９等を有する洗浄手段である下部第四洗浄装置１３０Ｈを備えている。
【００３７】
前記下部第四印刷ユニット１２０Ｈの前記圧胴１２１の前記ブランケット胴１２２との対接位置よりも回転方向下流側には、渡胴１０２が対接している。前記渡胴１０２には、シート１を排出するシート排出手段である排紙装置１５０の排紙胴１５１が対接している。前記排紙胴１５１には、スプロケット１５２が同軸をなして設けられている。前記スプロケット１５２には、爪竿を有するエンドレスタイプの排紙チェーン１５４が掛けられている。前記排紙チェーン１５４は、スプロケット１５３に掛け渡されている。前記スプロケット１５２，１５３の間の下方には、排紙台１５５が配設されている。
【００３８】
また、図４に示すように、前記給紙装置１１０の前記給紙台１１１上から送給するシート１の枚数、すなわち、前記印刷ユニット１２０Ａ〜１２０Ｈの前記圧胴１２１に保持されて搬送されるシート１の枚数をカウントするシート数カウント手段であるカウンタ１６１は、制御手段である制御装置１６０の入力部に電気的に接続されている。
【００３９】
前記制御装置１６０の出力部は、前記給紙装置１１０の前記送出装置１１４と、前記印刷ユニット１２０Ａ〜１２０Ｈの各前記インキ供給装置１２４と、前記印刷ユニット１２０Ａ〜１２０Ｈの前記ブランケット胴１２２の各前記偏心軸受をそれぞれ回動させる回動装置１６２（例えば、前記特許文献２等参照）と、前記印刷ユニット１２０Ａ〜１２０Ｈの前記洗浄装置１３０Ａ〜１３０Ｈの各前記フレーム１３１をそれぞれ揺動させる揺動装置１６３と、前記印刷ユニット１２０Ａ〜１２０Ｈの前記洗浄装置１３０Ａ〜１３０Ｈの前記ロール１３２，１３３をそれぞれ回転させる回転装置１６４と、前記印刷ユニット１２０Ａ〜１２０Ｈの前記洗浄装置１３０Ａ〜１３０Ｈの各前記電磁弁１３８，１３９と、前記送給ポンプ１４２，１４５とに電気的に接続しており、当該制御装置１６０は、前記カウンタ１６１からの情報に基づいて、前記送出装置１１４、前記インキ供給装置１２４、前記回動装置１６２、前記揺動装置１６３、前記回転装置１６４、前記送給ポンプ１４２，１４５の各作動及び前記電磁弁１３８，１３９の開閉をそれぞれ制御することができるようになっている（詳細は後述する）。
【００４０】
なお、本実施形態においては、前記偏心軸受、前記回動装置１６２等により、ブランケット胴移動手段を構成し、前記揺動装置１６３等により、洗浄手段移動手段を構成し、前記供給ロール１３２、前記巻取ロール１３３、前記支持部材１３４、前記案内部材１３４ａ，１３４ｂ、前記回転装置１６４等により、洗浄布走行移動手段を構成し、前記溶剤４により、水を含まない第一の洗浄液を構成し、前記水３と前記溶剤４との混合液により、水を含む第二の洗浄液を構成し、前記噴射ノズル１３６、前記合流器１３７、前記電磁弁１３９、前記タンク１４４、前記送給ポンプ１４５、前記分流器１４６等により第一の洗浄液付着手段を構成し、前記噴射ノズル１３６、前記合流器１３７、前記電磁弁１３８，１３９、前記タンク１４１，１４４、前記送給ポンプ１４２，１４５、前記分流器１４３，１４６等により第二の洗浄液付着手段を構成している。
【００４１】
このような本実施形態に係る銀行券用オフセット印刷機１００の作動を次に説明する。
【００４２】
当初、前記印刷ユニット１２０Ａ〜１２０Ｈの前記洗浄装置１３０Ａ〜１３０Ｈは、前記ブランケット胴１２２の外周面から離反する前記離反位置（胴抜き位置）に位置するように設定される（図７参照）と共に、前記電磁弁１３８，１３９が閉じられている。
【００４３】
そして、前記制御装置１６０に印刷運転開始の信号を入力すると、当該制御装置１６０は、前記印刷ユニット１２０Ａ〜１２０Ｈの前記インキ供給装置１２４から前記版胴１２３にインキを供給する供給状態とするように各前記インキ供給装置１２４の作動を制御した後、前記給紙装置１１０の前記給紙台１１１から前記フィーダボード１１２上にシート１を一枚ずつ送給するように前記送出装置１１４の作動を制御すると共に、前記ブランケット胴１２２を前記圧胴１２１及び前記版胴１２３に対接させる前記対接位置（胴入れ位置）に位置させる（胴入れする）ように前記回動装置１６２の作動を制御する（図５参照）。
【００４４】
これにより、前記給紙装置１１０の前記フィーダボード１１２上の前記シート１は、前記スイング装置１１３によって前記上部第一印刷ユニット１２０Ａの前記圧胴１２１に前記渡胴１０１を介して一方面を外側へ向けるようにして受け渡され、前記ブランケット胴１２２との対接位置を通過する。このとき、当該上部第一印刷ユニット１２０Ａの前記インキ供給装置１２４から前記版胴１２３の前記凸版に供給されたインキ（第一のインキ）は、前記ブランケット胴１２２の外周面に転写されることにより、前記シート１の一方面に転写されて一方面用の第一の絵柄として印刷される。
【００４５】
前記上部第一印刷ユニット１２０Ａで一方面用の第一の絵柄を印刷された前記シート１は、前記下部第一印刷ユニット１２０Ｂの前記圧胴１２１に他方面を外側へ向けるように受け渡されて前記ブランケット胴１２２との対接位置を通過する。このとき、当該下部第一印刷ユニット１２０Ｂの前記インキ供給装置１２４から前記版胴１２３の前記凸版に供給されたインキ（第一のインキ）は、前記ブランケット胴１２２の外周面に転写されることにより、前記シート１の他方面に転写されて他方面用の第一の絵柄として印刷される。
【００４６】
前記下部第一印刷ユニット１２０Ｂで他方面用の第一の絵柄を印刷された前記シート１は、前記上部第二印刷ユニット１２０Ｃの前記圧胴１２１に一方面を外側へ向けるように受け渡されて前記ブランケット胴１２２との対接位置を通過する。このとき、当該上部第二印刷ユニット１２０Ｃの前記インキ供給装置１２４から前記版胴１２３の前記凸版に供給されたインキ（第二のインキ）は、前記ブランケット胴１２２の外周面に転写されることにより、前記シート１の一方面に転写されて一方面用の第二の絵柄として印刷される。
【００４７】
前記上部第二印刷ユニット１２０Ｃで一方面用の第二の絵柄を印刷された前記シート１は、前記下部第二印刷ユニット１２０Ｄの前記圧胴１２１に他方面を外側へ向けるように受け渡されて前記ブランケット胴１２２との対接位置を通過する。このとき、当該下部第二印刷ユニット１２０Ｄの前記インキ供給装置１２４から前記版胴１２３の前記凸版に供給されたインキ（第二のインキ）は、前記ブランケット胴１２２の外周面に転写されることにより、前記シート１の他方面に転写されて他方面用の第二の絵柄として印刷される。
【００４８】
前記下部第二印刷ユニット１２０Ｄで他方面用の第二の絵柄を印刷された前記シート１は、前記上部第三印刷ユニット１２０Ｅの前記圧胴１２１に一方面を外側へ向けるように受け渡されて前記ブランケット胴１２２との対接位置を通過する。このとき、当該上部第三印刷ユニット１２０Ｅの前記インキ供給装置１２４から前記版胴１２３の前記凸版に供給されたインキ（第三のインキ）は、前記ブランケット胴１２２の外周面に転写されることにより、前記シート１の一方面に転写されて一方面用の第三の絵柄として印刷される。
【００４９】
前記上部第三印刷ユニット１２０Ｅで一方面用の第三の絵柄を印刷された前記シート１は、前記下部第三印刷ユニット１２０Ｆの前記圧胴１２１に他方面を外側へ向けるように受け渡されて前記ブランケット胴１２２との対接位置を通過する。このとき、当該下部第三印刷ユニット１２０Ｆの前記インキ供給装置１２４から前記版胴１２３の前記凸版に供給されたインキ（第三のインキ）は、前記ブランケット胴１２２の外周面に転写されることにより、前記シート１の他方面に転写されて他方面用の第三の絵柄として印刷される。
【００５０】
前記下部第三印刷ユニット１２０Ｆで他方面用の第三の絵柄を印刷された前記シート１は、前記上部第四印刷ユニット１２０Ｇの前記圧胴１２１に一方面を外側へ向けるように受け渡されて前記ブランケット胴１２２との対接位置を通過する。このとき、当該上部第四印刷ユニット１２０Ｇの前記インキ供給装置１２４から前記版胴１２３の前記凸版に供給されたインキ（第四のインキ）は、前記ブランケット胴１２２の外周面に転写されることにより、前記シート１の一方面に転写されて一方面用の第四の絵柄として印刷される。
【００５１】
前記上部第四印刷ユニット１２０Ｇで一方面用の第四の絵柄を印刷された前記シート１は、前記下部第四印刷ユニット１２０Ｈの前記圧胴１２１に他方面を外側へ向けるように受け渡されて前記ブランケット胴１２２との対接位置を通過する。このとき、当該下部第四印刷ユニット１２０Ｈの前記インキ供給装置１２４から前記版胴１２３の前記凸版に供給されたインキ（第四のインキ）は、前記ブランケット胴１２２の外周面に転写されることにより、前記シート１の他方面に転写されて他方面用の第四の絵柄として印刷される。
【００５２】
このようにして前記印刷ユニット１２０Ａ〜１２０Ｇで一方面と他方面との両面に第一〜四のインキの絵柄をそれぞれ印刷された前記シート１は、前記排紙装置１５０の前記排紙胴１５１を介して前記排紙チェーン１５４の前記爪竿にくわえ替えされ、前記スプロケット１５２，１５３の駆動回転により前記排紙台１５５上まで搬送されて当該爪竿から解放されることにより、当該排紙台１５５上に排紙される。
【００５３】
このように前記給紙装置１１０の前記給紙台１１１上のシート１を順次印刷して、当該給紙台１１１上からのシート１の送給枚数、すなわち、前記印刷ユニット１２０Ａ〜１２０Ｈの前記圧胴１２１に保持されて搬送されるシート１の枚数が、予め設定されている第一の規定値（例えば、１００００枚）に達すると、前記制御装置１６０は、前記カウンタ１６１からの情報に基づいて、前記送出装置１１４によるシート１の送給を一旦中断させるように当該送出装置１１４の作動を制御すると共に、前記印刷ユニット１２０Ａ〜１２０Ｈの各前記インキ供給装置１２４による各版胴１２３へのインキの供給を一旦中断するように当該インキ供給装置１２４の作動をそれぞれ制御した後、前記印刷ユニット１２０Ａ〜１２０Ｈの各前記ブランケット胴１２２を前記圧胴１２１及び前記版胴１２３から離反させる前記離反位置（胴抜き位置）に位置させる（胴抜きする）ように前記回動装置１６２の作動をそれぞれ制御して前記偏心軸受を回動させる（図７参照）。なお、前記印刷ユニット１２０Ａ〜１２０Ｈの各前記胴１２１〜１２３は、回転駆動がそのまま継続される。
【００５４】
続いて、前記制御装置１６０は、前記印刷ユニット１２０Ａ〜１２０Ｈの前記洗浄装置１３０Ａ〜１３０Ｈの洗浄布２を各前記ブランケット胴１２２の外周面（ブランケット）にそれぞれ当接させる前記当接位置に各前記フレーム１３１を位置させるように各前記揺動装置１６３をそれぞれ作動制御して前記揺動ピン１３５を介して当該フレーム１３１をそれぞれ揺動させた後、当該洗浄装置１３０Ａ〜１３０Ｈの前記噴射ノズル１３６から水３と溶剤４との混合液からなる第二の洗浄液を噴射するように、前記電磁弁１３８，１３９の開放制御及び前記送給ポンプ１４２，１４５の運転開始制御を行って、前記タンク１４１内の水３及び前記タンク１４４内の溶剤４を前記合流器１３７で合流させて前記噴射ノズル１３６の前記噴射口１３６ａから前記洗浄布２へ上記第二の洗浄液を噴き掛けて当該洗浄布２に当該第二の洗浄液を含浸させると共に、当該洗浄布２を走行移動させるように前記回転装置１６４を作動制御して前記供給ロール１３２から前記支持部材１３４及び前記案内部材１３４ａ，１３４ｂを経由して前記巻取ロール１３３に巻き取る。
【００５５】
これにより、前記印刷ユニット１２０Ａ〜１２０Ｈの各前記ブランケット胴１２２は、外周面（ブランケット）に第二の洗浄液が付着されながら当該外周面（ブランケット）を前記洗浄布２で拭われ、当該外周面（ブランケット）に付着しているインキや紙粉等が当該洗浄布２に除去されて、洗浄される。
【００５６】
このようにして前記洗浄装置１３０Ａ〜１３０Ｈによる前記印刷ユニット１２０Ａ〜１２０Ｈの各前記ブランケット胴１２２の洗浄を規定時間行うと、前記制御装置１６０は、当該洗浄装置１３０Ａ〜１３０Ｈの前記噴射ノズル１３６からの前記第二の洗浄液の噴射を停止するように、前記電磁弁１３８，１３９の閉鎖制御及び前記送給ポンプ１４２，１４５の運転停止制御を行うと共に、前記洗浄布２の走行移動を停止させるように前記回転装置１６４の作動停止制御を行った後、当該洗浄装置１３０Ａ〜１３０Ｈの洗浄布２を各前記ブランケット胴１２２の外周面（ブランケット）から離反させた前記離反位置に各前記フレーム１３１を位置させるように各前記揺動装置１６３をそれぞれ作動制御する。
【００５７】
続いて、前記制御装置１６０は、前記印刷ユニット１２０Ａ〜１２０Ｈの各前記ブランケット胴１２２を前記圧胴１２１及び前記版胴１２３に対接させる前記対接位置（胴入れ位置）に位置させる（胴入れする）ように前記回動装置１６２の作動をそれぞれ制御して前記偏心軸受を回動させた後（図５参照）、前記送出装置１１４によるシート１の送給を再度開始するように当該送出装置１１４の作動を制御すると共に、前記印刷ユニット１２０Ａ〜１２０Ｈの各前記インキ供給装置１２４による各版胴１２３へのインキの供給を再度開始するように当該インキ供給装置１２４の作動をそれぞれ制御することにより、シート１への印刷を再開する。
【００５８】
そして、前記給紙台１１１上からのシート１の送給枚数、すなわち、前記印刷ユニット１２０Ａ〜１２０Ｈの前記圧胴１２１に保持されて搬送されるシート１の枚数が、予め設定されている第二の規定値（例えば、２００００枚）に達すると、前記制御装置１６０は、前記カウンタ１６１からの情報に基づいて、前述した場合と同様に、前記送出装置１１４によるシート１の送給を一旦中断させるように当該送出装置１１４の作動を制御すると共に、前記印刷ユニット１２０Ａ〜１２０Ｈの各前記インキ供給装置１２４による各版胴１２３へのインキの供給を一旦中断するように当該インキ供給装置１２４の作動をそれぞれ制御した後、前記印刷ユニット１２０Ａ〜１２０Ｈの各前記ブランケット胴１２２を前記圧胴１２１のみから離反させる位置（半胴入れ位置）に位置させる（半胴入れ（半胴抜き）する）ように前記回動装置１６２の作動をそれぞれ制御して前記偏心軸受を回動させる（図６参照）。
【００５９】
続いて、前記制御装置１６０は、前述した場合と同様に、前記印刷ユニット１２０Ａ〜１２０Ｈの前記洗浄装置１３０Ａ〜１３０Ｈの洗浄布２を各前記ブランケット胴１２２の外周面（ブランケット）にそれぞれ当接させる前記当接位置に各前記フレーム１３１を位置させるように各前記揺動装置１６３をそれぞれ作動制御して前記揺動ピン１３５を介して当該フレーム１３１をそれぞれ揺動させた後、当該洗浄装置１３０Ａ〜１３０Ｈの前記噴射ノズル１３６から溶剤４のみからなる第一の洗浄液を噴射するように、前記電磁弁１３９のみの開放制御及び前記送給ポンプ１４５のみの運転開始制御を行って、前記タンク１４４内の溶剤４のみを前記合流器１３７経由で前記噴射ノズル１３６の前記噴射口１３６ａから前記洗浄布２へ噴き掛けて当該洗浄布２に第一の洗浄液を含浸させると共に、当該洗浄布２を走行移動させるように前記回転装置１６４を作動制御して前記供給ロール１３２から前記支持部材１３４及び前記案内部材１３４ａ，１３４ｂを経由して前記巻取ロール１３３に巻き取る。
【００６０】
これにより、前記印刷ユニット１２０Ａ〜１２０Ｈの各前記版胴１２３の前記凸版は、前記洗浄装置１３０Ａ〜１３０Ｈの前記洗浄布２を介して前記ブランケット胴１２２の外周面（ブランケット）に付着した第一の洗浄液が版面（凸部）に転移することにより、当該版面（凸部）上に堆積したインキが溶解して、上記ブランケット胴１２２の外周面（ブランケット）上に載り移り、上記洗浄装置１３０Ａ〜１３０Ｈの上記洗浄布２によって拭き取り除去されることにより、洗浄される。
【００６１】
ここで、前記版胴１２３の前記凸版は、その表面（版面）が水溶性樹脂からなるものの、前記第二の洗浄液が、溶剤４のみからなる、すなわち、水３を含んでいないので、当該表面（版面）が溶解して劣化してしまうことはない。
【００６２】
このようにして前記印刷ユニット１２０Ａ〜１２０Ｈの各前記版胴１２３の洗浄を規定時間行うと、前記制御装置１６０は、当該印刷ユニット１２０Ａ〜１２０Ｈの各前記ブランケット胴１２２を前記圧胴１２１だけでなく前記版胴１２３からも離反させる前記離反位置（胴抜き位置）に位置させる（胴抜きする）ように前記回動装置１６２の作動をそれぞれ制御して前記偏心軸受を回動させた後（図７参照）、前記洗浄装置１３０Ａ〜１３０Ｈの前記噴射ノズル１３６から水３と溶剤４との混合液からなる第二の洗浄液を噴射するように、前記電磁弁１３８の開放制御及び前記送給ポンプ１４２の運転開始制御を行って、前記タンク１４４内の溶剤４だけでなく前記タンク１４１内の水３も前記合流器１３７に送給して合流させることにより、前記噴射ノズル１３６の前記噴射口１３６ａから前記洗浄布２へ第二の洗浄液を噴き掛けて当該洗浄布２に第二の洗浄液を含浸させる。
【００６３】
これにより、前記印刷ユニット１２０Ａ〜１２０Ｈの各前記ブランケット胴１２２は、外周面（ブランケット）に第二の洗浄液が付着されながら当該外周面（ブランケット）を前記洗浄布２で拭われ、当該外周面（ブランケット）に付着しているインキや紙粉等が当該洗浄布２に除去されて、洗浄される。
【００６４】
このようにして前記洗浄装置１３０Ａ〜１３０Ｈによる前記印刷ユニット１２０Ａ〜１２０Ｈの各前記ブランケット胴１２２の洗浄を規定時間行うと、前記制御装置１６０は、前述した場合と同様に、当該洗浄装置１３０Ａ〜１３０Ｈの前記噴射ノズル１３６からの第二の洗浄液の噴射を停止するように、前記電磁弁１３８，１３９の閉鎖制御及び前記送給ポンプ１４２，１４５の運転停止制御を行うと共に、前記洗浄布２の走行移動を停止させるように前記回転装置１６４の作動停止制御を行った後、当該洗浄装置１３０Ａ〜１３０Ｈの洗浄布２を各前記ブランケット胴１２２の外周面（ブランケット）から離反させた前記離反位置に各前記フレーム１３１を位置させるように各前記揺動装置１６３をそれぞれ作動制御する。
【００６５】
そして、前記制御装置１６０は、前述した場合と同様に、前記印刷ユニット１２０Ａ〜１２０Ｈの各前記ブランケット胴１２２を前記圧胴１２１及び前記版胴１２３に対接させる前記対接位置（胴入れ位置）に位置させる（胴入れする）ように前記回動装置１６２の作動をそれぞれ制御して前記偏心軸受を回動させた後（図５参照）、前記送出装置１１４によるシート１の送給を改めて開始するように当該送出装置１１４の作動を制御すると共に、前記印刷ユニット１２０Ａ〜１２０Ｈの各前記インキ供給装置１２４による各版胴１２３へのインキの供給を改めて開始するように当該インキ供給装置１２４の作動をそれぞれ制御することにより、シート１への印刷を改めて開始する。
【００６６】
以下、前記給紙装置１１０の前記給紙台１１１上からのシート１の送給枚数が前記第一，二の規定値に達するごとに前述した作動を繰り返すことにより、前記印刷ユニット１２０Ａ〜１２０Ｈの前記ブランケット胴１２２及び前記版胴１２３は、自動で定期的に洗浄される。
【００６７】
つまり、本実施形態に係る銀行券用オフセット印刷機１００では、前記印刷ユニット１２０Ａ〜１２０Ｈの各前記版胴１２３と各前記ブランケット胴１２２とをそれぞれ対接させて各上記ブランケット胴１２２を各前記洗浄装置１３０Ａ〜１３０Ｈによって溶剤４からなる第一の洗浄液でそれぞれ洗浄することにより、各上記版胴１２３の洗浄を行うようにしたのである。
【００６８】
このため、本実施形態に係る銀行券用オフセット印刷機１００においては、前記印刷ユニット１２０Ａ〜１２０Ｈの各前記版胴１２３の前記凸版の版面をウエス等により作業者が手作業で拭き取り洗浄しなくても済ますことができ、各前記版胴１２３の版面を容易に洗浄することができる。
【００６９】
したがって、本実施形態によれば、前記版胴１２３の版面を洗浄するにあたって、作業者の負担を大きく軽減することができる。
【００７０】
〈他の実施形態〉
なお、前述した実施形態においては、前記給紙装置１１０の前記給紙台１１１上からのシート１の送給枚数、すなわち、前記印刷ユニット１２０Ａ〜１２０Ｈの前記圧胴１２１に保持されて搬送されるシート１の枚数が第一，二の規定値に達したときに、前記制御装置１６０が、前記カウンタ１６１からの情報に基づいて、前記印刷ユニット１２０Ａ１２０Ｈの前記ブランケット胴１２２や前記版胴１２３の洗浄を前記洗浄装置１３０Ａ〜１３０Ｈで行うように自動で制御（オートマチック方式）する銀行券用オフセット印刷機１００の場合について説明したが、他の実施形態として、例えば、ブランケット胴のみを洗浄するブランケット洗浄モードと版胴をブランケット胴と共に洗浄する版胴洗浄モードとを切り換えるモード切換スイッチと、洗浄を開始する旨の信号を送る洗浄開始スイッチとを有する操作盤を制御手段の入力部に接続し、作業者が、印刷されたシート１の絵柄を目視確認して、当該絵柄に生じ始めている不具合に対応して、上記操作盤の上記モード切換スイッチを適宜切り換えて上記洗浄開始スイッチを「入」にすることにより、制御手段が、前述した実施形態の場合と同様にして、洗浄手段でブランケット胴や版胴の洗浄を行うように手動で制御（マニュアル方式）する銀行券用オフセット印刷機とすることや、上記オートマチック方式と上記マニュアル方式とを併設して両方式を適宜選択して制御できるようにした銀行券用オフセット印刷機とすることも可能である。
【００７１】
また、前述した実施形態においては、前記洗浄装置１３０Ａ〜１３０Ｈの前記噴射ノズル１３６から前記洗浄布２へ向けて前記第一，二の洗浄液を噴射して当該洗浄布２に含浸させることにより、当該洗浄布２を介して前記ブランケット胴１２２のブランケットに前記第一，二の洗浄液を間接的に付着させるようにしたが、他の実施形態として、例えば、前記噴射ノズル１３６から前記ブランケット胴１２２のブランケットへ向けて前記第一，二の洗浄液を噴射することにより、当該ブランケット胴１２２のブランケットに前記第一，二の洗浄液を直接的に付着させるようにすることも可能である。
【００７２】
また、前述した実施形態においては、前記水タンク１４１内の水３と前記溶剤タンク１４４内の溶剤４とを前記合流器１３７で混合した第二の洗浄液を前記噴射ノズル１３６から噴射して前記ブランケット胴１２２に付着させるようにしたが、他の実施形態として、例えば、前記水タンク１４１内の水３を噴射する水噴射ノズルと、前記溶剤タンク１４４内の溶剤４を噴射する溶剤噴射ノズルとをそれぞれ配設して、各噴射ノズルから水３と溶剤４とをそれぞれ個別に噴射することにより、前記洗浄布２や前記ブランケット胴１２２のブランケット上で混ざるようにして当該ブランケット胴１２２のブランケットに第二の洗浄液を付着させるようにすることや、前記水タンク１４１に代えて、水３と溶剤４とを混合した混合液を予め貯留する混合液タンクを適用することにより、前記溶剤タンク１４４内の溶剤４からなる第一の洗浄液と、上記混合タンク内の上記混合液からなる第二の洗浄液とを切り換えて前記噴射ノズル１３６から噴射できるようにすることにより、予め調製した第二の洗浄液を前記ブランケット胴１２２のブランケットに付着させるようにすることも可能である。
【００７３】
さらに、例えば、前記溶剤タンク１４４内の溶剤４を前記噴射ノズル１３６から噴射して前記ブランケット胴１２２のブランケットに溶剤４を付着させた後、そのまま引き続いて、前記水タンク１４１内の水３を前記噴射ノズル１３６から噴射して前記ブランケット胴１２２のブランケットに水３を付着させることにより、当該ブランケット胴１２２のブランケットに第二の洗浄液を付着させるようにして当該ブランケット胴１２２を洗浄することも可能である。
【００７４】
また、前述した実施形態においては、表面（版面）が水溶性樹脂からなる樹脂製の凸版を前記版胴１２３に装着した場合について説明したが、他の実施形態として、例えば、金属製の凸版を適用した場合には、前記第一の洗浄液を水３と溶剤４との混合液とすることも可能であり、前記第一の洗浄液を前記第二の洗浄液と統合して、上記混合液のみの洗浄液だけで対応するようにすることも可能である。
【産業上の利用可能性】
【００７５】
本発明に係る銀行券用オフセット印刷機の洗浄方法及びこれを使用する銀行券用オフセット印刷機は、版胴の版面を洗浄するにあたって、作業者の負担を大きく軽減することができるので、印刷産業において極めて有益に利用することができる。
【符号の説明】
【００７６】
１  シート
２  洗浄布
３  水
４  溶剤
１００  銀行券用オフセット印刷機
１０１，１０２  渡胴
１１０  給紙装置
１１１  給紙台
１１２  フィーダボード
１１３  スイング装置
１１４  送出装置
１２０Ａ  上部第一印刷ユニット
１２０Ｂ  下部第一印刷ユニット
１２０Ｃ  上部第二印刷ユニット
１２０Ｄ  下部第二印刷ユニット
１２０Ｅ  上部第三印刷ユニット
１２０Ｆ  下部第三印刷ユニット
１２０Ｇ  上部第四印刷ユニット
１２０Ｈ  下部第四印刷ユニット
１２１  圧胴
１２２  ブランケット胴
１２３  版胴
１２４  インキ供給装置
１３０Ａ  上部第一洗浄装置
１３０Ｂ  下部第一洗浄装置
１３０Ｃ  上部第二洗浄装置
１３０Ｄ  下部第二洗浄装置
１３０Ｅ  上部第三洗浄装置
１３０Ｆ  下部第三洗浄装置
１３０Ｇ  上部第四洗浄装置
１３０Ｈ  下部第四洗浄装置
１３１  フレーム
１３２  供給ロール
１３３  巻取ロール
１３４  支持部材
１３４ａ，１３４ｂ  案内部材
１３５  揺動ピン
１３６  噴射ノズル
１３６ａ  噴射口
１３７  合流器
１３８  電磁弁
１３９  電磁弁
１４１  水タンク
１４２  送給ポンプ
１４３  分流器
１４４  溶剤タンク
１４５  送給ポンプ
１４６  分流器
１５０  排紙装置
１５１  排紙胴
１５２，１５３  スプロケット
１５４  排紙チェーン
１５５  排紙台
１６０  制御装置
１６１  カウンタ
１６２  回動装置
１６３  揺動装置
１６４  回転装置                                                                          
【図１】
2014200994.tif 000003
【図２】
2014200994.tif 000004
【図３】
2014200994.tif 000005
【図４】
2014200994.tif 000006
【図５】
2014200994.tif 000007
【図６】
2014200994.tif 000008
【図７】
2014200994.tif 000009